(57)【特許請求の範囲】
【請求項１】
自動車のウィンドウガラスをクリーニングするためのワイパブレードであって、支持ヨークシステム（１０）によって保持されるワイパ条片（１２）を有しており、該ワイパ条片（１２）に設けられたワイパリップ（１３２）が、側方でかつ支持ヨークシステム（１０）とは反対の側に向かって閉じられ且つ長手方向（３８，４０）の端部で開放された保護成形体（１４，２２，２４）によって取り囲まれている形式のものにおいて、
前記保護成形体（１４，２２）の少なくとも一方の前記端部にカバー（１６，１８，２０）を解離可能に被せ嵌めることによって該端部を閉じることができ、該カバー（１６，１８，２０）によって前記保護成形体（１４，２２）の前記端部は開閉可能であって、前記カバー（１６，１８）は前記保護成形体（１４）に被せ嵌められていて、前記保護成形体（１４）に解離可能に摩擦接続的に、前記保護成形体（１４）の内面（９６）に接する３つのピン（９８，１００，１０２）と、前記保護成形体（１４）の上面（１０４）上に載置されたフランジ（１０６）とを介して結合されていることを特徴とする、自動車のウィンドウガラスをクリーニングするためのワイパブレード。
【請求項２】
自動車のウィンドウガラスをクリーニングするためのワイパブレードであって、支持ヨークシステム（１０）によって保持されるワイパ条片（１２）を有しており、該ワイパ条片（１２）に設けられたワイパリップ（１３２）が、側方でかつ支持ヨークシステム（１０）とは反対の側に向かって閉じられ且つ長手方向（３８，４０）の端部で開放された保護成形体（１４，２２，２４）によって取り囲まれている形式のものにおいて、
前記保護成形体（１４，２２）の少なくとも一方の前記端部にカバー（１６，１８，２０）を解離可能に被せ嵌めることによって該端部を閉じることができ、該カバー（１６，１８，２０）によって前記保護成形体（１４，２２）の前記端部は開閉可能であって、前記カバー（２０）は摩擦接続に加えて付加的に、ピン（１１６，１１８，１２０，１２２）を介して、前記保護成形体（２２）の側面（４２，１３０）に設けられた開口（１２４，１２６）に解離可能に固定されていることを特徴とする、自動車のウィンドウガラスをクリーニングするためのワイパブレード。
【請求項３】
前記保護成形体（１４）が２つのカバー（１６，１８、２０）によって閉じられている、請求項１又は２記載のワイパブレード。
【請求項４】
前記カバー（１６，１８，２０）がワイパ条片（１２）に接している、請求項１から３までのいずれか１項記載のワイパブレード。
【請求項５】
前記カバー（２０）が前記端部を閉じる２つの閉鎖面（２８，３０）と、長手方向（３８，４０）に対して直交する方向の対称軸線（２６）とを有していて、該対称軸線（２６）に関して前記２つの閉鎖面（２８，３０）が線対称に設けられている、請求項１から４までのいずれか１項記載のワイパブレード。
【発明の詳細な説明】
【０００１】
背景技術
本発明は請求項１の上位概念に記載の形式のワイパブレードを起点としている。
【０００２】
公知のウィンドウガラスワイパはワイパアームを有しており、このワイパアームは、駆動軸に固定された固定部分と、この固定部分に屈曲ジョイントを介して結合されたジョイント部分と、該ジョイント部分に不動に接続されたワイパロッドとから構成されている。さらにウィンドゥワイパはワイパブレードを有しており、ワイパブレードは支持ヨークシステムとこの支持ヨークシステムによって保持されるワイパ条片とを有している。ワイパブレードはワイパアームに枢着されており、この場合、ワイパロッドの鈎爪状の端部が、支持ヨークシステムの２つの側面の間に係合して、ジョイントピンを把持している。このように形成されたジョイントは、ワイパ条片を有したワイパブレードを自動車ウィンドゥガラス上にガイドし、この場合、ジョイント部分と支持ヨークシステムとは、ワイパ条片が自動車ウィンドゥガラスの湾曲に適合できるようにする。ワイパ条片を自動車ウィンドゥガラスに押し付けるために必要な押しつけ圧は少なくとも１つの引張ばねにより得られる。このような引張ばねは固定部分とジョイント部分とに、ワイパロッドとともに屈曲ジョイントを介して負荷を与える。
【０００３】
ワイパ条片はエラストマ、例えば天然ゴムまたは合成ゴムまたはエチレンプロピレンから成っている。ワイパ条片はヘッド条片を有しており、このヘッド条片は、傾動ウエブを介して、払拭したいウィンドゥガラス上に載置されているワイパリップに結合されている。傾動ウエブによってワイパリップは、ワイパ運動の反転点で反対方向にフラップ変向するので、ワイパリップは常に最適な角度をフロントガラスに対して有している。ウィンドゥガラスワイパが操作されると、ワイパ条片のワイパリップが自動車ウィンドゥガラス上を滑動する。この場合、ワイパリップはワイパリップとフロントガラスとの間の摩擦によって摩耗してしまう。さらにワイパ条片には、例えば気温の変動、ＵＶ照射、塩水、排ガスのような、早期の材料の老化と、激しい摩耗を招く恐れのある環境的な影響が作用する。
【０００４】
新しい自動車を納品する際に、ワイパ条片が問題ない状態にあることを保証するために、自動車が保管される前に、ワイパ条片を保護成形体で覆うことが公知である。保護成形体は、新しい自動車が最終的な保管の後に顧客に引き渡される際に、初めて取り外される。しかし自動車の中間保存の際、即ち保管などの際にフロントガラスが汚された場合、または雨によって視界が遮られた場合、自動車を入れ替えるために、フロントガラスを自動車のワイパ装置によってクリーニングすることができない。保護成形体は剛性的で硬く、部分的にしかフロントガラス上に載置されていない。
【０００５】
ドイツ連邦共和国特許出願公開第３００５９６５号明細書によれば、保護成形体の、フロントガラスに面した側に、長手方向エッジを備えた可撓的な帯状部材を固定することが提案されている。この保護成形体は、硬ＰＶＣおよび軟ＰＶＣから成る帯から成っている。ワイパが操作されると、この帯がワイパブレードの長さにわたって多かれ少なかれ屈曲されて、これによりフロントガラスの曲面の所定の領域で適合することができる。帯はワイパリップとして作用し、これにより入れ替え過程時に、ワイパブレードの実際のワイパ条片を摩耗させることなしに、ワイパ装置をフロントガラスをクリーニングするために使用できる。
【０００６】
保護成形体を紛失しないようにワイパブレードに固定し、ワイパ条片を環境的な影響から側方で保護するためにさらに、保護成形体を側方で溶接することが公知である。保護成形体はこのために側方の端面で加熱され、プレートに押し付けられる。このように保護成形体を閉鎖させる材料プレートが生じる。組み付け前には一方の端面しか溶接されない。第２の端面が、保護成形体がワイパ条片上に被せ嵌められてから溶接されると、組み外しのために保護成形体を切開しなければならない。
【０００７】
発明の効果
本発明によれば保護成形体は長手方向で見て少なくとも一方の端部でカバーによって閉鎖されていて、このカバーによって保護成形体は組付けおよび組外しのために有利には複数回開閉させることができる。カバーは保護成形体上に被せ嵌めることができ、解離可能な摩擦接続的及び／又は形状接続的な結合を介して保護成形体に固定することができる。さらにカバーは紛失しないように保護成形体に結合することができ、係止手段を介して閉鎖位置及び／又は解放位置に位置固定可能である。この場合、例えばジョイントを介して保護成形体に紛失しないように結合されたカバーでは回転運動によって、またはレールを介して保護成形体に結合されたカバーでは直線運動によって位置固定される。
【０００８】
組付けおよび組外しは本発明によるカバーによって簡単かつ安価に行うことができる。保護成形体は有利には両側で閉鎖されていて、保護成形体を組外しの際に破壊する必要はない。保護成形体は組外し後、再利用可能である。カバーは別の閉鎖部材と組み合わせることができ、例えば溶接された端面等と組み合わせることができるが、有利には保護成形体は２つのカバーによって閉鎖される。別の構成では、保護成形体を、ワイパ条片に密接する２つのカバーによって閉鎖することが提案されている。保護成形体は両側で環境的な影響に対して保護されており、紛失防止されてワイパ条片上に固定され、両長手方向で位置固定されているので、ワイパの運動時に、保護成形体とワイパ条片との間の摩擦および損耗が回避される。
【０００９】
２つの閉鎖面と、長手方向に対して横方向に延びる対称軸線を有したカバーによって、カバーを組み付ける少なくとも２つの可能性が得られる。即ち対称軸線を中心としてそれぞれ１８０°旋回させる。組み付けは容易になり、第２の閉鎖面は有利には組外しのための把持部として使用される。
【００１０】
別の構成では、保護成形体を長手方向で見て少なくとも一方の端部で、長手方向に対して横方向内方に向けられた突起によって閉鎖されている。この突起は簡単かつ迅速に取り付けることができ、例えば金属成形体では一種のペンチによって、プラスチック成形体では熱源、特に有利には超音波発生器によって形成することができる。第１の側面に成形された突起と、第２の側面との間に、組み付けおよび組外し時にワイパリップを備えたワイパ条片を案内することができるギャップを有した保護成形体は、既に製造時に２つの突起によって両側で閉鎖されることができる。保護成形体を閉鎖するための、ワイパにおける組み付けステップは省かれ、組み付けは時間的に短縮され、容易になり、安価になる。例えばカバーのような付加的な構成部分は不要になる。さらに両側で閉鎖された保護成形体では破壊されない組外しが可能である。保護成形体は複数回再利用することができ、これにより環境は保護され、例えばリサイクルのためのエネルギは節約される。
【００１１】
組み付け時に保護成形体を簡単にワイパ条片上に被せ嵌めることができるように、突起は長手方向で見て端面に対して、内方に傾けられた傾斜部を有しており、この傾斜部はワイパ条片のワイパリップを、組み付けの際にギャップの方向に変向させる。さらに突起は長手方向で見て外方に向かって傾けられた、有利には比較的急勾配の第２の傾斜部を有しており、この傾斜部はワイパの運転中にワイパ条片上に保護成形体を不動に保持することを保証し、破壊することのない組は図示を容易にする。即ち、この場合、この傾斜部がワイパ条片のワイパリップをギャップ内に変向させる。
【００１２】
突起を備えた閉鎖部は、別の閉鎖装置、例えばカバーまたは溶接された端面と組み合わせることができる。しかしながら有利には、保護成形体は両端面で突起によって閉鎖されている。保護成形体を両長手方向で位置固定するために、有利には両突起の間の間隔がワイパ条片の長さと同じである。保護レールとワイパ条片との間の摩擦と損耗とは回避される。
【００１３】
実施例の説明
次に図面につき本発明の実施の形態を詳しく説明する。
【００１４】
図１にはワイパブレードの部分図が示されている。このワイパブレードは支持ヨークシステム１０を有しており、該支持ヨークシステム１０の主ヨーク６４は中間ヨーク６６に枢着的に結合されていて、該中間ヨーク６６の両端部はクローヨーク６８，７０に枢着されている。クローヨーク６８，７０の保持クロー７２にはワイパ条片１２が固定されている。購入者に引き渡す前に、熱およびその他の環境的な影響からワイパ条片１２を保護するために、ワイパ条片１２は保護成形体１４によって取り囲まれている。この保護成形体１４にはフロントガラスに向かってワイパ（払拭）エレメント７４が固定されている。
【００１５】
保護成形体１４は弾性的なプラスチック、即ちポリプロピレンから成っており、弾性的な変形によりフロントガラスの曲面に適合することができる。保護成形体１４は、ワイパ条片１２を取り囲む２つの側面７６，７８を備えた縦長の中空成形体を有している。この中空成形体は爪状の付加部８０，８２で、ワイパ条片１２の傾動ウエブ８４の領域に固定されていて、ワイパ条片１２からフロントガラスの方向で先細りしている（図２）。各側面７６，７８は２つの屈曲点８６，８８，９０，９２を有しており、これらの屈曲点は弾性的な変形のための出発個所を形成しており、このような変形を容易にする。より多くの屈曲点が設けられていてもよく、例えば波状の側面であってもよい。さらに弾性的な変形可能性は、フロントガラスに向かって丸められた全体として洋なし型のプロフィールならびに０．８ｍｍよりも薄い壁厚９４によって助成されている。この壁厚９４は有利には図示の実施例ではほぼ０．６ｍｍであるが、可変的である。
【００１６】
図３には図１の部分ＩＩＩが拡大して示されている。保護成形体１４は長手方向３８，４０で見て両端部でプラスチックカバー１６，１８によって閉鎖されている。このカバー１６，１８は保護成形体１４に被せ嵌められていて、これに解離可能に摩擦接続的に、保護成形体１４の内面に接する３つのピン９８，１００，１０２と、保護成形体１４の上面１０４上に載置されたフランジ１０６とを介して結合されている（図４、図５、図６）。カバー１６，１８を簡単に組み付ける、もしくは保護成形体１４に被せ嵌めることができるように、フランジ１０６とピン９８，１００，１０２とは位相１０８，１１０，１１２，１１４を有している。カバー１６，１８は保護成形体１４から組外すために引き抜くことができる。
【００１７】
保護成形体１４は紛失しないようにワイパブレードに固定されている。ワイパ条片１２は側方で環境的な影響から保護されており、保護成形体１４はカバー１６，１８に簡単に組み付け・組外しすることができる。特に、少なくとも１つのカバー１６または１８によって、両側で閉じられた保護成形体１４は、組外し後再び使用することができる。ワイパ条片１２上の保護成形体１４がワイパの運転時にずれて、摩擦や摩耗をひき起こすことのないように、カバー１６，１８はフランジ１０６でワイパ条片１２に密着しており、保護成形体を両長手方向３８，４０（図１および図３）で位置固定している。保護成形体１４に部分的にしか接していないカバー１６，１８は、保護成形体１４の弾性に殆ど影響を与えない。側面７６，７８は、保護成形体１４が弾性的に変形する際に、カバー１６，１８によって妨げられることなく内側に向かって変位する（図４）。
【００１８】
図７、図８、図９にはカバー２０が示されている。このカバー２０は摩擦接続に付加的に、ピン１１６，１１８，１２０，１２２を介して、保護成形体２２の側面４２，１３０に設けられた開口１２４，１２６に解離可能に固定されている（図１０および図１１）。カバー２０は長手方向３８，４０に対して横方向に対象軸線２６を、長手方向３８，４０に対して垂直方向に対象軸線１２８を有しており、２つの閉鎖面２８，３０を有している。これら２つの閉鎖面はそれぞれ保護成形体２２の横断面ジオメトリに適合している。カバー２０は、それぞれ対象軸線２６，１２８を中心として１８０°回転させることができ、これにより４つの異なる形式で組み付けることができる。組付けは容易になり、保護成形体２２を越えて突出する第２の閉鎖面２８もしくは３０は有利には組外しのための把持部として利用される。
【００１９】
保護成形体２２は長手方向４０ではカバー２０によって閉鎖可能であって、長手方向３８では第２の端部で、長手方向３８，４０に対して横方向に延びる突起３２によって閉鎖されている（図１０）。保護成形体２２はプラスチックから成っていて、突起３２は側面４２に超音波発生器によって取り付けられていて、第２の側面１３０まで突出している。
【００２０】
図１２、図１３、図１４には保護成形体２４が示されている。この保護成形体２４は長手方向３８，４０の両端部で、突起３４，３６によって閉鎖されている。これらの突起３４，３６は、長手方向３８，４０に対して横方向に内側に向けられて側壁４４に取り付けられている。これらの突起３４，３６はプラスチックの保護成形体２４に超音波発生器もしくは超音波ゾンデによって側面４４に一体成形されている。
【００２１】
突起３４の長さ５０は、フロントガラスの方向で減少し、突起３４と第２の側面４６との間にはほぼ一定のギャップ４８が生じる。このギャップ４８によって、ワイパ条片１２は、組付けおよび組外しの際にワイパリップ１３２（図２）が破壊されることなく案内される（図１３および図１４）。突起３４は長手方向３８，４０に対して横方向に先細りし、端面５４に対して、長手方向４０で見て内側に傾けられた第１のなだらかな約３０°の傾斜部５６を有している。この傾斜部５６は、組み付けの際にワイパ条片１２のワイパリップ１３２をギャップ４８の方向で変向させ、組付けを容易にさせる（図１４）。さらに突起３４は長手方向４０で見て内側に、長手方向３８で見て外方に向かって傾けられた急勾配の約１０°の第２の傾斜部５８を有している。この傾斜部５８は、ワイパの運転中に保護成形体２４をワイパ条片１２上に不動に保持することを保証し、破壊されることのない組外しを容易にする。
【００２２】
突起３６は、突起３４と同様の形状、即ち、端面５２に対して扁平な傾斜部（詳しくは図示せず）と、内面に対して急勾配の傾斜部とを有している。突起３４，３６は、互いに間隔６０をおいて配置されており、この間隔６０は、ワイパ条片１２の長さ６２と等しい（図１２および図１）。保護成形体２４とワイパ条片１２との間の摩擦は回避され、保護成形体２４は紛失されず、かつ再利用可能なようにワイパブレードに固定される。さらにワイパ条片１２は側方で環境的な影響に対して保護されている。突起３４，３６は保護成形体２４の周面のごく小さな部分にわたってしか延びていないので、弾性的な変形可能性には殆ど影響を与えない。
【図面の簡単な説明】
【図１】  ワイパブレードの一部を示した図である。
【図２】  図１のＩＩ−ＩＩ線に沿って断面した拡大図である。
【図３】  図１の部分ＩＩＩを拡大して示した図である。
【図４】  図３のＩＶ−ＩＶ線に沿って断面した図である。
【図５】  カバーを示す図である。
【図６】  図５のＶＩ−ＶＩ線に沿った断面図である。
【図７】  図５の変化実施例を示す図である。
【図８】  図７のＶＩＩＩ−ＶＩＩＩ線に沿った断面図である。
【図９】  図７のカバーを組み付け状態で示した図である。
【図１０】  図１の保護成形体の変化実施例である。
【図１１】  図１０のＸＩ−ＸＩ線に沿った断面図である。
【図１２】  図１０の保護成形体の変化実施例である。
【図１３】  図１２のＸＩＩＩ−ＸＩＩＩ線に沿った断面図である。
【図１４】  図１２のＸＩＶ−ＸＩＶ線に沿った断面図である。
【符号の説明】
１０  支持ヨークシステム、  １２  ワイパ条片、  １４  保護成形体、  １６，１８，２０  カバー、  ２２，２４  保護成形体、  ２６  対象軸線、  ２８，３０  閉鎖面、  ３２，３４，３６  突起、  ３８，４０  長手方向、  ４２，４４，４６  側面、  ４８  ギャップ、  ５０  長さ、  ５２，５４  端面、  ５６，５８  傾斜部、  ６０  間隔、  ６２  長さ、  ６４  主ヨーク、  ６６  中間ヨーク、  ６８，７０  クローヨーク、  ７２  保持クロー、７４  ワイパエレメント、  ７６，７８  側面、  ８０，８２  付加部、  ８４  傾動ウエブ、  ８６，８８，９０，９２  屈曲点、  ９４  壁厚、  ９６  内面、  ９８，１００，１０２  ピン、  １０４  上面、  １０６  フランジ、  １０８，１１０，１１２，１１４  位相、  １１６，１１８，１２０，１２２  ピン、  １２４，１２６  開口、  １２８  対象軸線、  １３０  側面、  １３２  ワイパリップ
【図１】
0004658424.tif 000002
【図２】
0004658424.tif 000003
【図３】
0004658424.tif 000004
【図４】
0004658424.tif 000005
【図５】
0004658424.tif 000006
【図６】
0004658424.tif 000007
【図７】
0004658424.tif 000008
【図８】
0004658424.tif 000009
【図９】
0004658424.tif 000010
【図１０】
0004658424.tif 000011
【図１１】
0004658424.tif 000012
【図１２】
0004658424.tif 000013
【図１３】
0004658424.tif 000014
【図１４】
0004658424.tif 000015